(57)【要約】【課題】  支柱又はフレームの縦杆の表裏両面にパネル板の側部を取付けてなる間仕切パネルにおいて、パネル板の内方への撓みを簡単且つ確実に防止することができる間仕切パネルの撓み防止装置を提供する。【解決手段】  両側の縦杆７間に複数の横杆１０を上下に間隔を隔てて渡設してフレーム１を形成し、フレームの両縦杆の表裏両側面にパネル板２の側部を取付け、水平な連結板部２１の前後両側に垂直な当止板部２２を一体形成した断面略Ｈ字形を有する合成樹脂製の当止具６を備え、当止具の上下一方に連結板部と両当止板部とで横杆を上方又は下方から抜止め状態で外嵌する嵌合部２３を形成し、横杆に外嵌した当止具の当止板部でパネル板の背面側を当止してなる。【選択図】        図６
2005120684.tif 000002
【特許請求の範囲】
【請求項１】
両側の縦杆間に複数の横杆を上下に間隔を隔てて渡設してフレームを形成し、該フレームの両縦杆の表裏両側面にパネル板の側部を取付けてなる間仕切パネルの撓み防止装置において、水平な連結板部の前後両側に垂直な当止板部を一体形成した断面略Ｈ字形を有する合成樹脂製の当止具を備え、該当止具の上下一方に前記連結板部と両当止板部とで前記横杆を上方又は下方から抜止め状態で外嵌する嵌合部を形成し、前記横杆に外嵌した前記当止具の当止板部でパネル板の背面側を当止してなることを特徴とする間仕切パネルの撓み防止装置。
【請求項２】
前記当止具の嵌合部を設けた側とは反対側であって、前記連結板部と両当止板部とで囲まれる空間に、間仕切パネルの連結用のボルト部材、ナット部材を保持する単又は複数の保持部を設けてなる請求項１記載の間仕切パネルの撓み防止装置。
【請求項３】
前記フレームは、縦杆の奥行厚さよりも少なくとも中間に位置する前記横杆の奥行厚さを小さく設定し、前記当止具は、外形における奥行厚さを前記縦杆の奥行厚さと略一致させるとともに、前記奥行厚さの小さい横杆に外嵌する嵌合部を設けてなる請求項１又は２記載の間仕切パネルの撓み防止装置。
【請求項４】
前記当止具の嵌合部は、前記奥行厚さの小さい横杆を上方又は下方から嵌合収容する凹部と、前記両当止板部の内側端部に設けた抜止め用の突起とで形成されている請求項１〜３何れかに記載の間仕切パネルの撓み防止装置。
【請求項５】
前記当止具は、前記嵌合部を設けた側とは反対側の両当止板部を接近する方向に押圧すると、前記嵌合部を形成する両当止板部が拡開して該嵌合部内に前記横杆を収容可能となるとともに、押圧力を解除すると両当止板部が弾性復元して嵌合部が前記横杆に抜止め状態で外嵌可能である請求項１〜４何れかに記載の間仕切パネルの撓み防止装置。
【発明の詳細な説明】
【技術分野】
【０００１】
本発明は、間仕切パネルの撓み防止装置に係わり、更に詳しくはパネル板の内方への撓みを防止するための間仕切パネルの撓み防止装置に関するものである。
【背景技術】
【０００２】
従来から支柱又はフレームの縦杆の表裏両面にパネル板を取付けた構造の間仕切パネルは各種提供されている。そして、このような間仕切パネルのパネル板としては、スチール製の表面板の周囲を背面側へ折曲して補強縁部を形成し、該表面板の背面に石膏ボードや段ボールを貼着して防音効果を持たせた構造のものが一般的であり、このパネル板の背面に突設したフックを支柱又はフレームの縦杆の表裏両面に形成した開口に嵌合係止して取付けている。
【０００３】
ここで、前記パネル板は、重量が重いと取扱いが不便になるばかりでなく、製造コストや搬送コストが嵩むため、材料のスチール板の厚さをぎりぎりまで薄くし、軽量化の工夫がなされている。そのため、支柱間隔やフレームの縦杆間隔が広い間仕切パネルや、上下幅の狭いパネル板を上下に複数取付ける分割式の間仕切パネルでは、少しの外力でパネル板の中央部が面外方向に変形し、特に内方へ撓み、その変形量が大きいと元に復元しなくなる。
【０００４】
この改善策として、本出願人は、特許文献１に示すように、一端にパネル板の裏面に着脱自在に取付け得る取付部を有するとともに他端に係合部を有する一対の連結部材を、表裏パネル板の裏面中位にそれぞれ取付部を用いて着脱自在に突設し、両パネル板の側部を支柱又はフレームの縦杆の表裏両面に取付けた際に、両連結部材の係合部が互いに係合して、面外変移に対して表裏パネル板を一体化し、各パネル板の撓みを抑制する構造を提案している。
【０００５】
しかし、表裏一方のパネル板を支柱又はフレームの縦杆に取付けた後、他方のパネル板のフックを支柱又はフレームの縦杆の開口に落とし込み係合させる上下移動時に、両連結部材の係合部を係合させることは不可能ではないが熟練と手間がかかる。更に、各パネル板に連結部材を装着しなければならず、分割式の間仕切パネルでは採用することは実際的でない。
【特許文献１】実公平６−４３２８６号公報
【発明の開示】
【発明が解決しようとする課題】
【０００６】
そこで、本発明が前述の状況に鑑み、解決しようとするところは、支柱又はフレームの縦杆の表裏両面にパネル板の側部を取付けてなる間仕切パネルにおいて、パネル板の内方への撓みを簡単且つ確実に防止することができる間仕切パネルの撓み防止装置を提供する点にある。
【課題を解決するための手段】
【０００７】
本発明は、前述の課題解決のために、両側の縦杆間に複数の横杆を上下に間隔を隔てて渡設してフレームを形成し、該フレームの両縦杆の表裏両側面にパネル板の側部を取付けてなる間仕切パネルの撓み防止装置において、水平な連結板部の前後両側に垂直な当止板部を一体形成した断面略Ｈ字形を有する合成樹脂製の当止具を備え、該当止具の上下一方に前記連結板部と両当止板部とで前記横杆を上方又は下方から抜止め状態で外嵌する嵌合部を形成し、前記横杆に外嵌した前記当止具の当止板部でパネル板の背面側を当止してなる間仕切パネルの撓み防止装置を構成した（請求項１）。
【０００８】
また、前記当止具の嵌合部を設けた側とは反対側であって、前記連結板部と両当止板部とで囲まれる空間に、間仕切パネルの連結用のボルト部材、ナット部材を保持する単又は複数の保持部を設けてなることが好ましい（請求項２）。
【０００９】
ここで、前記フレームは、縦杆の奥行厚さよりも少なくとも中間に位置する前記横杆の奥行厚さを小さく設定し、前記当止具は、外形における奥行厚さを前記縦杆の奥行厚さと略一致させるとともに、前記奥行厚さの小さい横杆に外嵌する嵌合部を設けてなることがより好ましい（請求項３）。
【００１０】
更に、前記当止具の嵌合部は、前記奥行厚さの小さい横杆を上方又は下方から嵌合収容する凹部と、前記両当止板部の内側端部に設けた抜止め用の突起とで形成されていることが好ましい（請求項４）。
【００１１】
そして、前記当止具は、前記嵌合部を設けた側とは反対側の両当止板部を接近する方向に押圧すると、前記嵌合部を形成する両当止板部が拡開して該嵌合部内に前記横杆を収容可能となるとともに、押圧力を解除すると両当止板部が弾性復元して嵌合部が前記横杆に抜止め状態で外嵌可能である（請求項５）。
【発明の効果】
【００１２】
以上にしてなる請求項１に係る発明の間仕切パネルの撓み防止装置は、当止具の嵌合部をフレームの横杆に外嵌して装着した後、パネル板の両側部を両縦杆の表裏両面に取付けるだけで、前記当止具の当止板部でパネル板の背面側が当止され、もってパネル板の内方への撓みを簡単且つ確実に防止することができる。
【００１３】
請求項２によれば、予め間仕切パネルの連結に必要なボルト部材、ナット部材を保持部に必要数保持した状態で、当止具をフレームの横杆に装着しておけば、部品の管理が容易になり、間仕切パネルの連結作業の効率化が図れる。
【００１４】
請求項３によれば、複数の分割パネル板をフレームの上下に取付ける分割式の間仕切パネルにおいて、パネル板の接合部分に対応する高さ位置に横杆を設定し、該横杆に当止具を嵌着すれば、上下のパネル板の背面側縁部を同時に当止板部で当止して、内方への撓みを防止することができる。
【００１５】
請求項４によれば、当止具の凹部内に横杆を嵌合し、突起で抜止めをするので、当該当止具を横杆に確実に装着することができる。
【００１６】
請求項５によれば、前記嵌合部を設けた側とは反対側の両当止板部を指で摘んで嵌合部を拡開させ、横杆に外挿した後、指を離すだけで、当止具を横杆に簡単且つ確実に装着することができる。
【発明を実施するための最良の形態】
【００１７】
次に本発明に係る間仕切パネルの撓み防止装置の実施形態を添付図面に基づいて詳細に説明する。図１及び図２は間仕切パネルの基本構造を示し、図３〜図７は第１実施形態（６０ｍｍの厚さの間仕切パネル）、図８〜図１１は第２実施形態（９０ｍｍの厚さの間仕切パネル）をそれぞれ示し、図中符号１はフレーム、２はパネル板、３は巾木、４は笠木、５は側カバー、６は当止具をそれぞれ示している。
【００１８】
本発明に係る間仕切パネルは、図１及び図２に示すように、前記フレーム１の表裏両側にパネル板２，２を取付けるとともに、最下段には巾木３を取付け、フレーム１の上端には笠木４を取付け、更に端部に位置するフレーム１には側カバー５を取付けて構成している。ここで、本実施形態では、上下寸法が小さい複数枚のパネル板２，…を上下方向に配列させて取付けた分割式の間仕切パネルを例示している。
【００１９】
前記フレーム１は、図２及び図３に示すように、角パイプからなる両側縦杆７，７の上下端部間に上横杆８と下横杆９をそれぞれ横設するとともに、上下中間部間に単又は複数の中横杆１０を横設したものである。ここで、本実施形態では、前記上横杆８、下横杆９及び中横杆１０は、全て同じ形状のものを用い、縦杆７の奥行厚さよりも前記横杆８，９，１０の奥行厚さを小さく設定している。尚、本実施形態では、前記上横杆８、下横杆９及び中横杆１０は同一形状のものを用いているので、特に区別する必要がない場合は、「横杆」と総称する。また、前記縦杆７の表面中央部には前記パネル板２を係止する上下一対の開口１１，１１を、上下方向に位置を変えて複数対形成するとともに、側端縁に沿った上下方向にオプション支持用のフックを係止するための係止孔１２，…を一定間隔毎に形成している。
【００２０】
前記パネル板２は、図２及び図６に示すように、スチール製の表面板１３の背面側周囲に縁部１４を形成し、少なくとも両側縁部１４，１４には前記表面板１３と略平行な折曲板１５を形成し、該折曲板１５の上下部に取付孔１６，１６を形成し、下方の取付孔１６に下部連結具１７を内嵌するとともに、上方の取付孔１６に上部連結具１８を内嵌したものである。そして、前記フレーム１の両側の縦杆７，７に形成した上下左右の開口１１，…に、前記下部連結具１７に設けた下向きフック１９を係止するとともに、前記上部連結具１８に設けた係合爪２０を抜止め状態で弾性係合させて前記パネル板２を着脱自在に取付けるのである。尚、前記パネル板２は、前記表面板１３を覆うようにクロスを張ったものでも良く、またクッション性を有する化粧シートを貼ったものでも、スチール面を塗装仕上げしたものでも良い。また、前記パネル板２として、多数の小孔が開いたパチングメタルや波板状に成形したものを採用することも可能である。
【００２１】
前記当止具６は、図４〜図６に示すように、水平な連結板部２１の前後両側に垂直な当止板部２２，２２を一体形成した断面略Ｈ字形を有する合成樹脂製のものであり、上下一方に前記連結板部２１と両当止板部２２，２２とで前記横杆９，１０を上方又は下方から抜止め状態で外嵌する嵌合部２３を形成するとともに、該嵌合部２３を設けた側とは反対側であって、前記連結板部２１と両当止板部２２，２２とで囲まれる空間に、間仕切パネルの連結用のボルト部材Ｂ、ナット部材Ｎを保持する単又は複数の保持部２４，…を設けた構造である。このように断面略Ｈ字形に構成した前記当止具６は、前記嵌合部２３を設けた側とは反対側の両当止板部２２，２２を接近する方向に押圧すると、前記嵌合部２３を形成する両当止板部２２，２２が拡開して該嵌合部２３内に前記横杆９，１０を収容可能となるとともに、押圧力を解除すると両当止板部２２，２２が弾性復元して嵌合部２３が前記横杆９，１０に抜止め状態で外嵌可能である。
【００２２】
更に、前記当止具６の嵌合部２３は、前記横杆９，１０を上方又は下方から嵌合収容する凹部２５と、前記両当止板部２２，２２の内側端部に設けた抜止め用の突起２６，２６とで形成されている。また、前記当止具６の保持部２４は、前記連結板部２１から立ち上げた先端が接近して湾曲した一対の突片２７，２７で形成されている。そして、前記当止具６は、外形における奥行厚さ、つまり両当止板部２２，２２の最大外寸を前記縦杆７の奥行厚さと略一致させている。
【００２３】
そして、前記当止具６の嵌合部２３を設けた側とは反対側の両当止板部２２，２２を指で摘んで嵌合部２３を拡開させ、横杆９，１０に外挿した後、指を離すだけで、前記横杆９，１０に抜止め状態で外嵌することができ、この状態で前記パネル板２を前記フレーム１の両縦杆７，７に取付けると、当該当止具６の当止板部２２，２２で該パネル板２の背面側、具体的にはパネル板２の背面側の上方縁部１４又は下方縁部１４を当止し、該パネル板２の内方への撓みを防止するのである。実際には、前記当止具６の当止板部２２の外面上部には上方のパネル板２の下方縁部１４を当止する低いリブ２８，…を突設し、当止板部２２の外面下部は下方のパネル板２の上方縁部１４に外嵌した弾性目地部材２９を当止するのである。ここで、前記フレーム１の上横杆８は、両縦杆７，７の上端間に渡設され、その上面に前記笠木４を密着させてネジ止めするので、前記当止具６を装着することができない。しかし、最上段のパネル板２の上端に設けた目地部材２９は、前記笠木４の下面縁に沿って下設したリブに係合しているので、内外の撓みはもともと抑制されており、前記当止具６による撓み防止は不要である。
【００２４】
本実施形態では、前記縦杆７に対して横杆８，９，１０をネジ止め連結してフレーム１を構成している。ここで、前記縦杆７に対する上横杆８の取付位置は上端部であり、下横杆９の取付位置は巾木３の上縁に対応する位置であり、中横杆１０の取付位置は対となった前記開口１１，１１の対と対の中間であり、この位置に予めネジを挿通する孔を形成している。そして、前記パネル板２の上下幅は、一対の前記開口１１，１１を利用して取付け得る最小の基準幅の整数倍のものを適宜選択して取付けることができ、この場合にも上下のパネル板２，２の接合部分に対応する位置に前記中横杆１０を連結しておき、該中横杆１０に前記当止具６を外嵌して接続部分に対応する上下のパネル板２，２の背面側の各縁部１４を当止するのである。
【００２５】
図７は、間仕切パネルの連結構造を示し、隣接するフレーム１，１の縦杆７，７同士を突合せ、該縦杆７に形成した貫通孔３０を通した前記ボルト部材Ｂとナット部材Ｎで締結する簡単な構造である。この連結には上下二対のボルト部材Ｂとナット部材Ｎを用いるので、前記保持部２４は合計４個設けている。従って、間仕切パネルに１個しか当止具６を用いなくても確実に必要数のボルト部材Ｂ、ナット部材Ｎを保持できるのである。
【００２６】
また、前記巾木３は、図２に示すように、前記フレーム１の縦杆７，７の下端部に形成した上下の取付開口３１，３１に、背面両側端部に突設した上下係合部３２，３２を嵌合して取付ける。具体的には、前記巾木３は、スチール製の巾木本体３３の両端部に前記上下係合部３２，３２を一体形成した合成樹脂製の端部材３４を嵌着した構造である。
【００２７】
次に、図８〜図１１に基づいて本発明の第２実施形態を説明する。本実施形態も基本的には第１実施形態と同様であるので、同一構成には同一符号を付してその説明は省略する。本実施形態のフレーム１は、図９に示すように、縦杆７を四角パイプの芯杆３５とその外側面部と前後面部を覆う係止杆３６とから構成され、前記芯杆３５に係止杆３６を溶接するとともに、前記芯杆３５と略同形状の四角パイプの上横杆８、下横杆９及び中横杆１０を溶接して連結している。そして、前記縦杆７を構成する係止杆３６に前記同様の複数対の開口１１，…を形成するとともに、上下方向に一定間隔毎に係止孔１２，…を形成している。このフレーム１の表裏両面にパネル板２，…を取付ける構造は前記同様である。尚、本実施形態の場合、連結した間仕切パネル間に渡って配線することができるように、前記縦杆７の係止杆３６の一部を切断し、該切断部にコード受けを有する配線部材３７を装着している。また、前記縦杆７の芯杆３５の下端部を係止杆３６の下端より露出させ、この露出部にコード受けを兼ねたアジャスター受部材３８を装着し、該アジャスター受部材３８に巾木３を嵌着している。
【００２８】
本実施形態で使用する当止具６Ａは、図８〜図１１に示すように、水平な連結板部２１の前後両側に垂直な当止板部２２，２２を一体形成した断面略Ｈ字形を有する合成樹脂製のものであり、上下一方に前記連結板部２１と両当止板部２２，２２とで前記横杆９，１０を上方又は下方から抜止め状態で外嵌する嵌合部２３を形成するとともに、該嵌合部２３を設けた側とは反対側であって、前記連結板部２１と両当止板部２２，２２とで囲まれる空間に、間仕切パネルの連結用のボルト部材Ｂを保持する単又は複数の保持部２４，…を設けた構造である。この場合も、前記当止具６Ａは、外形における奥行厚さ、つまり両当止板部２２，２２の最大外寸を前記縦杆７の係止杆３６の奥行厚さと略一致させている。
ここで、本実施形態の場合、間仕切パネル同士を連結するには、隣接する前記フレーム１，１の各縦杆７を構成する係止杆３６の連結面側に形成した凹溝内に連結ブロック３９の半分を嵌合し、隣接する両側の縦杆７，７にそれぞれ内方から貫通させたボルト部材Ｂを前記連結ブロック３９に螺合して締結する構造である。従って、本実施形態の場合には、前記当止具６Ａの保持部２４にはボルト部材Ｂのみを保持させておくのである。
【００２９】
次に、図１２〜図１６に基づいて本発明に係る間仕切パネルの使用例を簡単に説明する。先ず、図１２は高さが高い間仕切パネルＡ１を３枚直線状に連結するとともに、その両端に高さの低い間仕切パネルＡ２をそれぞれ直角に連結し、該両間仕切パネルＡ２，Ａ２の上端間に天板４０を前記係止孔１２，…に嵌合係止したブラケット（図示せず）にて支持するとともに、該天板４０の下方に棚板４１を同様に支持し、前記間仕切パネルＡ１の連結部に有する２条の目地部に出現した前記係止孔１２，…を利用して、大型のフラットディスプレイ４２を前記間仕切パネルＡ１に沿って装着するとともに、前記棚板４１にその制御機器４３等を収容し、視聴覚スペースを実現したものである。尚、前記フラットディスプレイ４２と制御機器４３等を接続するコード４４は、前記間仕切パネルＡ１の特定のパネル板２の下縁の一部を切り欠いて形成したコード挿通部４５を通してパネルの内部から天板４０の下方へ配線している。
【００３０】
また、図１３は、高さの高い２枚の間仕切パネルＡ３を直線状に連結し、その一端部に同じ高さの１枚の間仕切パネルＡ４を直角に連結して平面視Ｌ字形の構造体を形成し、その囲まれた空間に天板４６を配し、該天板４６の一端部を前記直線状に連結した間仕切パネルＡ３の端部の係止孔１２，…に嵌合係止したブラケット４７で支持するとともに、該天板４６の他端部を前記直角に連結した間仕切パネルＡ４の両端部の係止孔１２，…を利用して嵌合係止した水平な受金具４８で支持し、前記天板４６の上面にパソコン４９を設置し、そのコード５０は前記同様に特定のパネル板２の下縁部に形成したコード挿通部４５を通してパネルの内外に配線し、ワークステーションを実現したものである。
【００３１】
また、図１４は、間仕切パネルＡ５の両側の目地部に出現した前記係止孔１２，…を利用して開閉扉付きのキャビネット５１を高い位置に装着したものである。つまり、前記キャビネット５１の約半分が間仕切パネルＡ５の上端から突出する位置で、前記上部の係止孔１２，…に嵌合係止したブラケット５２，５２で支持したものである。
【００３２】
最後に、図１５及び図１６は、複数の前記フレーム１，…を用いて枠組み連結し、そのフレーム構造体に開口部を有する額縁部材５３にアクリル板等の透光板５４を装着した透光性パネル５５，…を複数上下に並べて装着し、またコーナー部には平面視Ｌ字形の額縁部材５３に同じく平面視Ｌ字形の透光板５４を装着したコーナーパネル５６を装着して開放感のある間仕切構造体を実現したものである。尚、前記額縁部材５３は、アルミニウムの押出し型材の端部を４５度の角度で切断して両側縦枠５７，５７と上下横枠５８，５８を形成し、その切断部で突き合わせた状態でＬ金具（図示せず）にてネジ止め連結し、正面視四角形状となしたものである。ここで、前記縦枠５７と横枠５８は表面部に断面Ｌ字形の係止縁５９を形成し、各係止縁５９が連続して前記透光板５４の周囲を嵌合保持している。そして、前記額縁部材５３の両縦枠５７，５７の背面側上下部に前記一対の開口１１，１１に嵌合係止する係止具６０，６０をそれぞれ突設し、該係止具６０，…を所定高さの縦杆７の開口１１，…に嵌合係止して前記フレーム１の表裏両面から取付ける。
【図面の簡単な説明】
【００３３】
【図１】本発明に係る間仕切パネルの斜視図である。
【図２】同じく間仕切パネルの分解斜視図である。
【図３】第１実施形態のフレームの正面図である。
【図４】第１実施形態における本発明の要部を示す部分分解斜視図である。
【図５】第１実施形態における当止具を示し、（ａ）は平面図、（ｂ）は側面図、（ｃ）は正面図、（ｄ）は縦断面図である。
【図６】同じく組立てた状態の部分縦断面図である。
【図７】間仕切パネルの連結構造を示す部分分解斜視図である。
【図８】第２実施形態のフレームの正面図である。
【図９】第２実施形態における本発明の要部を示す部分分解斜視図である。
【図１０】第２実施形態における当止具を示し、（ａ）は平面図、（ｂ）は側面図、（ｃ）は正面図、（ｄ）は縦断面図である。
【図１１】同じく組立てた状態の部分縦断面図である。
【図１２】本発明の使用例を示し、視聴覚スペースを構成した状態の簡略斜視図である。
【図１３】本発明の使用例を示し、ワークステーションを構成した状態の簡略斜視図である。
【図１４】本発明の使用例を示し、キャビネット装着した状態の簡略斜視図である。
【図１５】本発明の使用例を示し、開放感のある間仕切構造体を構成した状態の簡略斜視図である。
【図１６】同じく要部の部分分解斜視図である。
【符号の説明】
【００３４】
１  フレーム        ２  パネル板
３  巾木            ４  笠木
５  側カバー        ６、６Ａ  当止具
７  側縦杆          ８  上横杆
９  下横杆          １０  中横杆
１１  開口          １２  係止孔
１３  表面板        １４  縁部
１５  折曲板        １６  取付孔
１７  下部連結具    １８  上部連結具
１９  下向きフック  ２０  係合爪
２１  連結板部      ２２  当止板部
２３  嵌合部        ２４  保持部
２５  凹部          ２６  突起
２７  突片          ２８  リブ
２９  目地部材      ３０  貫通孔
３１  取付開口      ３２  上下係合部
３３  巾木本体      ３４  端部材
３５  芯杆          ３６  係止杆
３７  配線部材      ３８  アジャスター受部材
３９  連結ブロック  ４０  天板
４１  棚板          ４２  フラットディスプレイ
４３  制御機器      ４４  コード
４５  コード挿通部  ４６  天板
４７  ブラケット    ４８  受金具
４９  パソコン      ５０  コード
５１  キャビネット  ５２  ブラケット
５３  額縁部材      ５４  透光板
５５  透光性パネル  ５６  コーナーパネル
５７  縦枠          ５８  横枠
５９  係止縁        ６０  係止具
Ａ１〜Ａ５  間仕切パネル
Ｂ  ボルト部材
Ｎ  ナット部材
【図１】
2005120684.tif 000003
【図２】
2005120684.tif 000004
【図３】
2005120684.tif 000005
【図４】
2005120684.tif 000006
【図５】
2005120684.tif 000007
【図６】
2005120684.tif 000008
【図７】
2005120684.tif 000009
【図８】
2005120684.tif 000010
【図９】
2005120684.tif 000011
【図１０】
2005120684.tif 000012
【図１１】
2005120684.tif 000013
【図１２】
2005120684.tif 000014
【図１３】
2005120684.tif 000015
【図１４】
2005120684.tif 000016
【図１５】
2005120684.tif 000017
【図１６】
2005120684.tif 000018